(57)【要約】      （修正有）【課題】膜電極接合体の劣化や損傷の可能性を低減する燃料電池セル構造を提供する。【解決手段】セル構造は、矩形状の膜電極接合体と、膜電極接合体の両側に配置された矩形状の第１と第２のガス拡散層と、を備える矩形状の電極体１００は、矩形状の開口部を有するシール部材であって、開口部に第１のガス拡散層１０４ｃを配置することにより第１のガス拡散層１０４ｃの外周部を覆うシール部材１２０に対して、燃料ガスの供給口１１４ｉ側に位置する第１のガス拡散層１０４ｃの第１の外周端部とシール部材１２０の第１の内周端部との間の間隔Ｄ１が、燃料ガスの排出口１１４ｏ側に位置する第１のガス拡散層１０４ｃの第２の外周端部とシール部材１２０の第２の内周端部との間の間隔Ｄ２よりも小さくなるように、配置されている。【選択図】図２
2014216110.tif 000002
【特許請求の範囲】
【請求項１】
燃料電池のセル構造であって、
矩形状の膜電極接合体と、前記膜電極接合体の両側に配置された矩形状の第１と第２のガス拡散層と、を備える矩形状の電極体であって、前記第１のガス拡散層は、前記第２のガス拡散層よりも面積が小さく、前記第１のガス拡散層の外周部は、前記膜電極接合体の外周部および前記第２のガス拡散層の外周部よりも内側に位置する、電極体と、
矩形状の開口部を有するシール部材であって、前記開口部に前記第１のガス拡散層を配置することにより前記第１のガス拡散層の外周部を覆うシール部材と、
前記第１のガス拡散層の外周端部と前記シール部材の内周端部との間に充填された充填材と、
前記シール部材の面上と前記第１のガス拡散層の面上に配置され、前記第１のガス拡散層の面に沿って酸化ガスを流す酸化ガス流路を有する第１のセパレータと、
前記シール部材の面上と前記第２のガス拡散層の面上に配置され、前記第２のガス拡散層の面に沿って燃料ガスを流す燃料ガス流路を有する第２のセパレータと、
前記電極体の第１の辺の外周側にあり、前記燃料ガス流路に外部から前記燃料ガスを供給するための前記燃料ガスの供給口と、
前記第１の辺に対向する第２の辺の外周側にあり、前記燃料ガス流路から外部へ前記燃料ガスを排出するための前記燃料ガスの排出口と、
を備え、
前記電極体は、前記燃料ガスの供給口側に位置する前記第１のガス拡散層の第１の外周端部と前記シール部材の第１の内周端部との間の間隔が、前記燃料ガスの排出口側に位置する前記第１のガス拡散層の第２の外周端部と前記シール部材の第２の内周端部との間の間隔よりも小さくなるように、配置されている
ことを特徴とする燃料電池のセル構造。
【請求項２】
請求項１に記載の燃料電池のセル構造であって、さらに、
前記電極体の前記第１の辺に垂直な第３の辺の外周側にあり、前記酸化ガス流路に外部から前記酸化ガスを供給するための前記酸化ガスの供給口と、
前記第３の辺に対向する第４の辺の外周側に配置され、前記酸化ガス流路から外部へ前記酸化ガスを排出するための前記酸化ガスの排出口と、
を備え、
前記電極体は、前記酸化ガスの排出口側に位置する前記第１のガス拡散層の第３の外周端部と前記シール部材の第３の内周端部との間の間隔が、前記酸化ガスの供給口側に位置する前記第４のガス拡散層の第４の外周端部と前記シール部材の第４の内周端部との間の間隔よりも大きくなるように、配置されている
ことを特徴とする燃料電池のセル構造。
【発明の詳細な説明】
【技術分野】
【０００１】
本発明は、燃料電池の技術に関する。
【背景技術】
【０００２】
燃料電池は、膜電極接合体とガス拡散層とを備える。燃料電池は、単セルが複数積層されて積層方向の両側から所定の荷重が加えられることで形成される。燃料電池では、燃料ガスと酸化ガスとの両極間のクロスリークを抑えるために、電解質膜の外周部に、ガスシール部材（ガスケット）が設けられている。このような燃料電池の一つとして、一方の電極上に配置したガス拡散層が、他方の電極上に配置したガス拡散層および電解質膜よりも小さく形成された燃料電池が知られている（例えば、特許文献１参照）。また特許文献１の技術では、ガスケットを設けることによって、燃料ガスおよび酸化ガスのクロスリークの抑制を図っている。
【先行技術文献】
【特許文献】
【０００３】
【特許文献１】特開２００７−０６６７６６号公報
【発明の概要】
【発明が解決しようとする課題】
【０００４】
ガスケットを、小さい方のガス拡散層の外周に接するように設ける場合には、例えばガス拡散層やガスケットの形成の精度等に起因して、小さい方のガス拡散層の外周とガスケットとの間に隙間が生じる場合があった。
【０００５】
ガス拡散層の外周とガスケットとの間に隙間が存在すると、この隙間において、膜電極接合体が露出する。固体高分子形燃料電池では、例えば燃料電池が発電と停止を繰り返すことにより、膜電極接合体が湿潤状態と乾燥状態との間で状態変化を引き起こす。ここで、膜電極接合体のうち露出した部分（露出部分）には、燃料電池の両側から所定の荷重を加えた場合でも、十分な外力が加わらない。よって、膜電極接合体が湿潤状態になった場合に、露出部分が膨らむことで大きく変形して座屈が生じる可能性がある。また、膜電極接合体が乾燥状態となった場合は、露出部分は収縮して亀裂が生じる可能性がある。このように、膜電極接合体の変形が繰り返されることで、膜電極接合体に劣化や損傷が生じる可能性があった。
【０００６】
ここで、上記隙間に樹脂を充填することで、湿潤状態における膜電極接合体の膨らみを抑制できる場合がある。図１５は、隙間に樹脂を充填した単セルの構造の一例を示す概略断面図である。この単セル１０Ｒは、膜電極接合体（Ｍｅｎｍｒａｎｅ  Ｅｌｅｃｔｒｏｄｅ  Ａｓｓｅｍｂｌｙ，ＭＥＡ）１０１のカソード１０３ｃ上に配置した第１のガス拡散層１０４ｃが、膜電極接合体１０１のアノード１０３ａ上に配置した第２のガス拡散層１０４ａおよび膜電極接合体１０１の電解質膜１０２よりも小さく形成されている。なお、第１のガス拡散層１０４ｃのカソード１０３ｃに接する側の面には第１の撥水層１０５ｃが形成されており、第２のガス拡散層１０４ａのアノード１０３ａに接する側の面には第２の撥水層１０５ａが形成されている。
【０００７】
単セル１０Ｒは、第１のガス拡散層１０４ｃの外周には、第１のセパレータ１１０ｃおよび第２のセパレータ１１０ａの間で挟持されるように、シール部材１２０が形成されている。さらに、単セル１０Ｒは、シール部材１２０と第１のガス拡散層１０４ｃとの間に生じた隙間に、充填材１３０として樹脂が充填されており、湿潤状態における膜電極接合体１０１の膨らみが抑制される。
【０００８】
しかしながら、充填材１３０の充填量が少なく、充填材１３０によって形成される層（以下、「充填材層」とも呼ぶ）の厚みが薄くなった場合において、以下の問題が発生する可能性がある。
【０００９】
充填材層の厚みが薄くなった場合、複数の単セル１０Ｒを積層して組み付けるときに、積層方向両側から加えた荷重が、膜電極接合体１０１のうち充填材１３０と重なる部分（対応ＭＥＡ部分）には十分に加わらない可能性がある。この場合には、電解質膜２０の膨潤を抑えることが不十分となるので、膜電極接合体１０１が座屈して膜電極接合体が劣化または損傷する可能性があった。
【００１０】
また、カソード１０３ｃ側の酸化ガスの圧力に対してアノード１０３ａ側の燃料ガスの圧力が大きく、アノード１０３ａとカソード１０３ｃとの間の電極間のガス差圧が大きい箇所に上記隙間が存在する場合には、この電極間のガスの差圧（以下、「極間差圧」とも呼ぶ）によって膜電極接合体１０１に対して応力が発生する。この結果、膜電極接合体１０１の隙間の部分では、発生した応力に応じた機械的な変形が発生しやすくなる。充填材１３０が隙間に十分に充填されている場合には、膜電極接合体１０１に発生した応力を、形成された充填材層から加わる荷重によって抑制することにより、膜電極接合体１０の変形を十分に抑制することが可能である。しかしながら、充填材１３０の充填量が少なくなった場合には、形成された充填材層から加わる荷重では、膜電極接合体１０１に発生した応力を抑制することができず、膜電極接合体１０１の変形を十分に抑制できない可能性があるからである。なお、極間差圧は、燃料ガスの圧力の方が酸化ガスの圧力よりも高く、通常、単セルへの燃料ガスの導入部側（入口側）において大きくなるので、燃料ガスの導入部側に存在する隙間への充填材の充填量が少なくなった場合には、膜電極接合体の変形が発生しやすくなる。このように、隙間に充填材を充填した場合でも、極間差圧によって膜電極接合体が劣化又は損傷する可能性があった。
【００１１】
膜電極接合体の劣化や損傷は、燃料ガスおよび酸化ガスのクロスリークを引き起こし得るため望ましくない。よって、膜電極接合体が湿潤状態と乾燥状態との間で状態変化しても、また、隙間への充填材の充填量が少なかった場合においても、膜電極接合体の劣化や損傷を抑制する技術が望まれていた。また、燃料電池においては、部品点数を抑制することや、製造工程を簡素化することや、製造コストを低減すること等が望まれていた。
【課題を解決するための手段】
【００１２】
本発明は、上述の課題の少なくとも一部を解決するためになされたものであり、以下の形態として実現することが可能である。
【００１３】
（１）本発明の一形態によれば、燃料電池のセル構造が提供される。このセル構造は、矩形状の膜電極接合体と、前記膜電極接合体の両側に配置された矩形状の第１と第２のガス拡散層と、を備える矩形状の電極体であって、前記第１のガス拡散層は、前記第２のガス拡散層よりも面積が小さく、前記第１のガス拡散層の外周部は、前記膜電極接合体の外周部および前記第２のガス拡散層の外周部よりも内側に位置する、電極体と；矩形状の開口部を有するシール部材であって、前記開口部に前記第１のガス拡散層を配置することにより前記第１のガス拡散層の外周部を覆うシール部材と；前記第１のガス拡散層の外周端部と前記シール部材の内周端部との間に充填された充填材と；前記シール部材の面上と前記第１のガス拡散層の面上に配置され、前記第１のガス拡散層の面に沿って酸化ガスを流す溝状の酸化ガス流路を有する第１のセパレータと；前記シール部材の面上と前記第２のガス拡散層の面上に配置され、前記第２のガス拡散層の面に沿って燃料ガスを流す溝状の燃料ガス流路を有する第２のセパレータと；前記電極体の第１の辺の外周側にあり、前記燃料ガス流路に外部から前記燃料ガスを供給するための前記燃料ガスの供給口と；前記第１の辺に対向する第２の辺の外周側にあり、前記燃料ガス流路から外部へ前記燃料ガスを排出するための前記燃料ガスの排出口と；を備える。前記電極体は、前記燃料ガスの供給口側に位置する前記第１のガス拡散層の第１の外周端部と前記シール部材の第１の内周端部との間の間隔が、前記燃料ガスの排出口側に位置する前記第１のガス拡散層の第２の外周端部と前記シール部材の第２の内周端部との間の間隔よりも小さくなるように、配置されている。この形態のセル構造によれば、燃料ガスの供給口側における第１のガス拡散層とシール部材との間の隙間に位置する膜電極接合体に加わる応力を低減することができる。これにより、膜電極接合体が変形する可能性を低減でき、膜電極接合体が劣化または損傷する可能性を低減できる。
【００１４】
（２）上記形態のセル構造において、さらに、前記電極体の前記第１の辺に垂直な第３の辺の外周側にあり、前記酸化ガス流路に外部から前記酸化ガスを供給するための前記酸化ガスの供給口と；前記第３の辺に対向する第４の辺の外周側に配置され、前記酸化ガス流路から外部へ前記酸化ガスを排出するための前記酸化ガスの排出口と；を備え、前記電極体は、前記酸化ガスの排出口側に位置する前記第１のガス拡散層の第３の外周端部と前記シール部材の第３の内周端部との間の間隔が、前記酸化ガスの供給口側に位置する前記第４のガス拡散層の第４の外周端部と前記シール部材の第４の内周端部との間の間隔よりも大きくなるように、配置されていても良い。この形態のセル構造によれば、燃料ガスの供給口側において、燃料ガスの圧力と酸化ガスの圧力との圧力差を低減することができるので、第１のガス拡散層とシール部材との間の隙間に位置する膜電極接合体に加わる応力をより効果的に低減することができる。これにより、膜電極接合体が変形する可能性を低減でき、膜電極接合体が劣化又は損傷する可能性を低減できる。
【００１５】
なお、本発明は、種々の形態で実現することが可能であり、例えば、燃料電池のセル構造、燃料電池、燃料電池を搭載した車両等の形態で実現することができる。
【図面の簡単な説明】
【００１６】
【図１】一実施形態における燃料電池システムの概略構成を示す説明図である。
【図２】単セルの概略構成を示す説明図である。
【図３】図２（ｃ）に示した単セルの概略断面の周縁部のうちの領域Ａ１の部分を拡大して示す概略断面図である。
【図４】図２（ｃ）に示した単セルの概略断面の周縁部のうちの領域Ａ２の部分を拡大して示す概略断面図である。
【図５】燃料電池の製造方法の概略を示す説明図である。
【図６】サンプル＃１におけるシール部材と第１のガス拡散層との配置関係を示す平面図である。
【図７】サンプル＃２におけるシール部材と第１のガス拡散層との配置関係を示す平面図である。
【図８】サンプル＃３におけるシール部材と第１のガス拡散層との配置関係を示す平面図である。
【図９】サンプル＃４におけるシール部材と第１のガス拡散層との配置関係を示す平面図である。
【図１０】各サンプルにおける隙間をまとめた表である。
【図１１】各サンプルのａ部およびｃ部において想定される引張応力を示す表である。
【図１２】膜電極接合体の変形のモデルを示す模式図である。
【図１３】ａ部の極間差圧およびｃ部の極間差圧をパラメータとしそれぞれにおける隙間と引張応力σとの関係を示すグラフである。
【図１４】図１３に基づいてａ部およびｃ部における隙間と極間差圧Δｐと引張応力σとの関係をまとめた表である。
【図１５】隙間に樹脂を充填した単セルの構造の一例を示す概略断面図である。
【発明を実施するための形態】
【００１７】
Ａ１：燃料電池の構成：
図１は、一実施形態における燃料電池システム５の概略構成を示す説明図である。燃料電池システム５は、燃料電池２００と、水素タンク５０と、エアコンプレッサ４０と、制御部２６と、を備える。水素タンク５０は、燃料ガスとしての水素を貯蔵する。エアコンプレッサ４０は、酸化ガスとしての圧縮空気を燃料電池２００に供給する。制御部２６は、燃料電池システム５全体の制御を行う。
【００１８】
燃料電池２００は、固体高分子形燃料電池である。燃料電池２００の構造は、複数の単セル１０を積層したスタック構造である。燃料電池２００は、複数の単セル１０の他に、エンドプレート２１と、絶縁板２２と、集電板２３と、を備える。積層方向（Ｚ軸方向）の両側には、それぞれ集電板２３、絶縁板２２およびエンドプレート２１が、単セル１０側から外側に向かってこの順に配置されている。２枚のエンドプレート２１の間は、テンションロッド２４及びナット２５により、所定の締結力（荷重）で締結されている。これにより、各単セル１０には、所定の力が積層方向の両側から加えられる。ナット２５の少なくとも一方には、ナット２５を回転させて締結力を調製するための駆動部２７が設けられている。
【００１９】
単セル１０はそれぞれ、燃料ガス（水素）と酸化ガス（空気に含まれる酸素）との電気化学反応により発電を行う。水素タンク５０に貯蔵された燃料ガスとしての水素は、減圧弁５１によって減圧された後に水素ガス供給路５３を流通する。流通する水素は、水素ガス供給路５３に設けられた圧力調整弁５２によって所定の圧力に調整されて、燃料電池２００に供給される。燃料電池２００に供給された水素を含有するガス（アノード供給ガス）は、燃料電池２００の内部に形成されるアノードガス供給マニホールド（図示せず）を介して各単セル１０に供給され、各単セル１０における発電に利用される。各単セル１０において利用されなかった水素を含有するガス（アノード排ガス）は、燃料電池２００の内部に形成されるアノードガス排出マニホールド（図示せず）を介して集約される。そして、アノード排ガスは、アノード排ガス路５４を介して燃料電池２００の外部に排出される。なお、燃料電池システム５は、アノード排ガスを供給側に再循環させる構成を有しても良い。
【００２０】
エアコンプレッサ４０によって加圧された空気は、酸化ガス供給路４１を介して燃料電池２００に供給される。燃料電池２００に供給された酸素を含む空気（カソード供給ガス）は、カソードガス供給マニホールド（図示せず）を介して各単セル１０に供給され、各単セル１０における発電に利用される。各単セル１０において利用されなかった空気（カソード排ガス）は、カソードガス排出マニホールド（図示せず）を介して集約され、カソード排ガス路４８を介して燃料電池２００の外部に排出される。
【００２１】
冷媒循環ポンプ４６は、冷媒循環流路４７を介して、燃料電池２００に冷媒を供給する。燃料電池２００で暖められた冷却媒体は、ラジエータ４５で冷却され、再び燃料電池２００に供給される。冷却媒体は、冷媒供給マニホールド（図示せず）を介して各単セル１０に供給され、各単セル１０を冷却する。各単セル１０を通過した後の冷却媒体は、冷媒排出マニホールド（図示せず）を介して集約され、冷媒循環流路４３を介してラジエータ４５に流通する。冷却媒体としては、水や、水とエチレングリコールとの混合液などの不凍水を用いることができる。本実施形態では、冷却媒体として液体を用いているが、冷却媒体として空気を用いる構成であってもよい。
【００２２】
制御部２６は、図示しないＣＰＵやメモリ等を備えたコンピュータである。制御部２６は、燃料電池システム５の各部に配された温度センサや圧力センサ、電圧計等からの信号を受信し、受信した信号に基づき燃料電池システム５全体の制御を行う。
【００２３】
図２は、単セル１０の概略構成を示す説明図である。図２のうち、図２（ａ）は単セル１０をカソード側から見た概略平面を示し、図２（ｂ）は単セル１０の内部をカソード側から透視して見た概略平面を示し、図２（ｃ）は、図２（ａ）に示したＡ−Ａ矢視概略断面を示している。図３は、図２（ｃ）に示した単セル１０の概略断面の周縁部のうちの領域Ａ１の部分を拡大して示す概略断面図である。図４は、図２（ｃ）に示した単セル１０の概略断面の周縁部のうちの領域Ａ２の部分を拡大して示す概略断面図である。
【００２４】
図２に示すように、単セル１０は、電極体１００と、電極体１００の両面を挟むように配置された第１および第２のセパレータ１１０ｃ，１１０ａと、を備える。また、単セル１０は、電極体１００の外周を覆うように配置されたシール部材１２０を備える。
【００２５】
電極体１００は、図２（ｃ），図３，図４に示すように、膜電極接合体（ＭＥＡ）１０１と、第１のガス拡散層１０４ｃと、第２のガス拡散層１０４ａと、を備える。膜電電極接合体１０１は、電解質膜１０２と、電解質膜の両面に配置されたカソード１０３ｃおよびアノード１０３ａと、を備える。電解質膜１０２は、固体高分子材料、例えばパーフルオロカーボンスルホン酸を備えるフッ素系樹脂により形成されたプロトン伝導性のイオン交換膜であり、湿潤状態において良好な電気伝導性を示す。カソード１０３ｃとアノード１０３ａとはそれぞれ、触媒として、例えば白金、あるいは白金合金を備えている。より具体的には、カソード１０３ｃとアノード１０３ａは、上記触媒を担持したカーボン粒子と、電解質膜１０２を構成する高分子電解質と同様の電解質と、を備えている。図２〜図４において、符号の末尾に「ｃ」が付された部材はカソード１０３ｃ側の部材であり、「ａ」が付された部材はアノード１０３ａ側の部材である。
【００２６】
第１のガス拡散層１０４ｃと第２のガス拡散層１０４ａとは、膜電極接合体１０１を両側から挟むように配置されている。第１のガス拡散層１０４ｃのカソード１０３ｃに接する面には、第１の撥水層１０５ｃが設けられている。また、第２のガス拡散層１０４ａのアノード１０３ａに接する面には、第２の撥水層１０５ａが設けられている。
【００２７】
第１と第２のガス拡散層１０４ｃ，１０４ａは、ガス透過性を有する導電性部材によって形成される。導電性部材としては、例えば、カーボンペーパ、カーボンクロス、金属メッシュ、発泡金属等がある。また、第１と第２のガス拡散層１０４ｃ，１０４ａは、いずれも、平坦な板状部材として形成されている。第１と第２のガス拡散層１０４ｃ，１０４ａを設けることによって、電極に対するガス供給効率を向上させると共に、第１と第２のセパレータ１１０ｃ，１１０ａと電極との間の集電性を高めることができる。また、第１と第２のガス拡散層１０４ｃ，１０４ａによって、電解質膜１０２を保護することができる。
【００２８】
第１と第２の撥水層１０５ｃ，１０５ａは、カーボン粒子と、フッ素樹脂などの撥水性物質とを備えている。このような第１と第２の撥水層１０５ｃ，１０５ａは、カーボン粒子と撥水性物質とを含有する混合液である撥水インクを、第１と第２のガス拡散層１０４ｃ，１０４ａを構成する導電性部材の表面に塗布し、乾燥・焼成を行なうことによって形成される。第１と第２の撥水層１０５ｃ，１０５ａは、膜電極接合体１０１からガス拡散層１０４ｃ，１０４ａに移動しようとする液水を膜電極接合体１０１側に押し戻す。液水を押し戻すことによって電解質膜１０２が水分不足となることを抑制できる。また、液水をはじくことによって、第１と第２のガス拡散層１０４ｃ，１０４ａに備えられる細孔が液水によって閉塞されることを抑制できる。
【００２９】
図２（ｂ），図３，図４に示すように、本実施形態では、第１のガス拡散層１０４ｃと第２のガス拡散層１０４ａとは、その大きさ（面積）が異なっている。本実施形態では、第１のガス拡散層１０４ｃは第２のガス拡散層１０４ａよりも面積が小さい。また、図２（ｂ）に示すように、膜電極接合体１０１の面内方向（平面方向）において、第１のガス拡散層１０４ｃの外周端部（外周縁）は、膜電極接合体１０１の外周端部および第２のガス拡散層１０４ａの外周端部（破線枠で示す）よりも内側（中央側）に位置する。
【００３０】
図２（ｃ），図３，図４に示すように、第１と第２のセパレータ１１０ｃ，１１０ａは、電極体１００およびシール部材１２０を両側から挟むように配置されている。第１と第２のセパレータ１１０ｃ，１１０ａは、ガス不透過な導電性部材によって形成される。導電性部材としては、例えば、カーボンを圧縮してガス不透過とした緻密質カーボン等のカーボン製部材や、プレス成形したステンレス鋼などの金属製部材がある。第１と第２のセパレータ１１０ｃ，１１０ａの外形は、図２（ａ）に示すように、矩形状である。第１と第２のセパレータ１１０ｃ，１１０ａのうち、触媒電極層（カソード８２あるいはアノード８６）と対向する面には、図３，図４に示すように、反応ガスが流れる流路溝１１６ｃ，１１６ａを形成する凹凸形状が形成されている。流路溝１１６ｃは、第１のガス拡散層１０６ｃに対し、酸化ガスを流通させる酸化ガス流路を形成する。また、流路溝１１６ａは、第２のガス拡散層１０６ａに対し、燃料ガスを流通させる燃料ガス流路を形成する。以下では、流路溝１１６ｃを「酸化ガス流路１１６ｃ」とも呼び、流路溝１１６ａを「燃料ガス流路１１６ａ」とも呼ぶ
【００３１】
シール部材１２０は、シート状であり、合成樹脂（例えば、ポリオレフィン）によって形成される。ポリオレフィンとしては、ポリプロピレンやポリエチレンを用いることができる。シール部材１２０の厚みは、第１と第２のガス拡散層１０４ｃ，１０４ａの形状や第１と第２のセパレータ１１０ｃ，１１０ａの形状等によって適宜定めることができる。例えば、シール部材１２０の厚みは、１００〜３００μｍ程度である。シール部材１２０は、図３，図４に示すように、膜電極接合体１０１の外周部のうち第１のガス拡散層１０４ｃが配置された側の面上に貼り付けられている。シール部材１２０の外形は、図２（ｂ）に示すように、矩形状である。また、シール部材１２０の中央には、第１のガス拡散層１０４ｃを収納する空間（開口部）が形成されている。シール部材１２０は、酸化ガス流路をシールする。
【００３２】
図３，図４に示すように、第１のガス拡散層１０４ｃの外周端部とシール部材１２０との間の隙間を塞ぐように、充填材１３０が上記隙間で露出する膜電極接合体１０１上に設けられている。また、充填材１３０は、シール部材１２０と膜電極接合体１０１との間に配置され、シール部材１２０を膜電極接合体１０１に取り付けるために用いられる。充填材１３０は、ポリイソブチレン、エポキシ、ウレタンなどの熱硬化性樹脂を含む。
【００３３】
図２（ａ），図２（ｂ）に示すように、第１のセパレータ１１０ｃとシール部材１２０と第２のセパレータ１１０ａとには、上記した燃料電池２００の内部に形成される各種マニホールドを構成するための複数の貫通孔が以下で説明するように形成されている。なお、第２のセパレータ１１０ａの平面図は省略されているが、第２のセパレータ１１０ａに形成されている複数の貫通孔の位置と形状は、第１のセパレータ１１０ａと同様である。
【００３４】
第１と第２のセパレータ１１０ｃ，１１０ａには、図２（ａ）に示すように、カソードガス供給マニホールドを構成する複数のカソードガス導入用貫通孔１１２ｉが一方の長辺（図の下辺）に沿って形成されており、カソードガス排出マニホールドを構成する複数のカソードガス排出用貫通孔１１２ｏが他方の長辺（図の上辺）に沿って形成されている。従って、カソードガス供給用貫通孔１１２ｉが設けられている側が酸化ガス（空気）の入口側であり、カソードガス排出用貫通孔１１２ｏが設けられている側が酸化ガスの出口側となる。また、第１のセパレータ１１０ｃには、アノードガス供給マニホールドを構成する複数のアノードガス導入用貫通孔１１４ｉが一方の短辺（図の左辺）に沿って形成されており、アノードガス排出マニホールドを構成する複数のアノードガス排出用貫通孔１１４ｏが他方の短辺（図の右辺）に沿って形成されている。従って、アノードガス供給用貫通孔１１４ｉが設けられている側の燃料ガス（水素）の入口側であり、アノードガス排出用貫通孔１１４ｏが設けられている側が燃料ガスの出口側となる。
【００３５】
シール部材１２０にも、図２（ｂ）に示すように、カソードガス供給マニホールドを構成する複数のカソードガス導入用貫通孔１２２ｉが一方の長辺（図の下辺）に沿って形成されており、カソードガス排出マニホールドを構成する複数のカソードガス排出用貫通孔１２２ｏが他方の長辺（図の上辺）に沿って形成されている。また、シール部材１２０には、アノードガス供給マニホールドを構成する複数のアノードガス導入用貫通孔１２４ｉが一方の短辺（図の左辺）に沿って形成されており、アノードガス排出マニホールドを構成する複数のアノードガス排出用貫通孔１２４ｏが他方の短辺（図の右辺）に沿って形成されている。
【００３６】
なお、以下では、カソードガス導入用貫通孔を「カソードガス供給マニホールド」とも呼び、カソードガス排出用貫通孔を「カソードガス排出マニホールド」とも呼ぶ。また、アノードガス導入用貫通孔を「アノードガス供給マニホールド」とも呼び、アノードガス排出用貫通孔を「カソードガス排出マニホールド」とも呼ぶ。
【００３７】
酸化ガスとしての空気は、図２（ａ）に示すように、酸化ガス（空気）の供給口となるカソード供給マニホールド１１２ｉから、第１のセパレータ１１０ａに形成された酸化ガス流路１１６ｃ（図３，図４参照）に導入され、電極体１００の短辺方向（Ｙ方向）に沿って流れ、酸化ガスの排出口となるカソードガス排出マニホールド１１２ｏを介して単セル１０の外部へ排出される。これに対して、燃料ガスとしての水素は、燃料ガス（水素）の供給口となるアノードガス供給マニホールド１１４ｉから、第１のセパレータ１１０ｃに形成された燃料ガス流路１１６ａ（図３，図４参照）に導入され、電極体１００の長辺方向（Ｘ方向）に沿って流れ、燃料ガスの排出口となるアノーガス排出マニホールド１１４ｏを介して単セル１０の外部へ排出される。すなわち、酸化ガス流路の流路方向と燃料ガス流路の流路方向とが直交する構造とされている。
【００３８】
なお、第１のセパレータ１１０ｃとシール部材１２０と第２のセパレータ１１０ａとには、さらに、冷媒供給マニホールドおよび冷媒排出マニホールドを構成するための複数の貫通孔も形成されるが、本発明の説明上特に必要がないので図示および説明を省略する。
【００３９】
図２（ｃ），図３に示す間隔Ｄ１は、アノード供給マニホールド１１４ｉ，１２４ｉ側における第１のガス拡散層１０４ｃの外周端部とシール部材１２０の内周端部との間の間隔である。図２（ｃ），図４に示す間隔Ｄ２は、アノード排出マニホールド１１４ｏ，１２４ｏ側における第１のガス拡散層１０４ｃの外周端部とシール部材１２０の内周端部との間の間隔である。本実施形態では、図４に示す水素排出側の間隔Ｄ２よりも、図３に示す水素供給側の間隔Ｄ１の方が小さくなるように、電極体１００が配置されている点に特徴を有している。この配置構造については、さらに、後述する。
【００４０】
図５は、燃料電池２００の製造方法の概略を示す説明図である。まず、膜電極接合体１０１を準備する（ステップＳ１０）。次に、膜電極接合体１０１に、第１の撥水層１０５ｃが形成された第１のガス拡散層１０４ｃを取り付けると共に、第２の撥水層１０５ａが形成された第２のガス拡散層１０４ａを取り付ける（ステップＳ１２）。すなわち、ステップＳ１２は、電極体１００を準備する工程である。
【００４１】
次に、膜電極接合体１０１の外周縁から内側の外周部のうち、第１のガス拡散層１０４ｃが配置された側の第１面１０１ｃ上に、液状の充填材１３０を塗布する（ステップＳ１４）。図５のステップＳ１４では、図示の便宜上、充填材１３０が、シール部材１２０と電極体１００との間に形成される空間Ｓの外側に塗布されているように描かれているが、実際には、充填材１３０は、この空間Ｓの位置に塗布される。塗布する充填材１３０の量は、空間Ｓの容積の１．２倍以上２．０倍以下が好ましい。充填材１３０の量が空間Ｓの容積の１．２倍以上であることで、後述するステップＳ１６において、充填材１３０を確実に隙間Ｍから外側にはみ出させることができる。また、充填材１３０の量が空間Ｓの容積の２．０倍以下であることで、後述するステップＳ１６において、隙間Ｍから充填材１３０が過度にはみ出す可能性を低減できる。過度に充填材１３０が隙間Ｍからはみ出すと、酸化ガス流路が閉塞する不具合が生じ得る。
【００４２】
次に、シール部材１２０を第１のガス拡散層１０４ｃを囲むように配置する。この際、上記したように、水素排出側の間隔Ｄ２（図４）よりも、水素供給側の間隔Ｄ１（図３）の方が小さくなるように配置する。これにより、充填材１３０の一部分がシール部材１２０によって押し出され、この結果、シール部材１２０と膜電極接合体１０１とによって挟まれた第１充填部分１３１と、隙間Ｍから第１のガス拡散層１０４ｃよりも膜電極接合体１０１の積層方向外側にはみ出した露出部分１３２と、が形成される（ステップＳ１６）。この工程は、例えば、膜電極接合体１０１の積層方向に沿って見たときに、シール部材１２０と塗布した充填材１３０とが一部重なるようにして、シール部材１２０を充填材１３０上に配置することによって実現できる。
【００４３】
次に、第１と第２のセパレータ１１０ｃ，１１０ａを電極体１００の両側に取り付ける（ステップＳ１８）。詳細には、第１と第２のセパレータ１１０ｃ，１１０ａのうちシール部材１２０と当接する部分に接着剤を塗布して、第１と第２のセパレータ１１０ｃ，１１０ａによってシール部材１２０および電極体１００を積層方向に圧縮する方向に力を加える。これにより、第１と第２のセパレータ１１０ｃ，１１０ａと、シール部材１２０とが取り付けられる。また、少なくとも第１のセパレータ１１０ｃを充填材１３０が硬化する温度以上に加熱する。これにより、充填材１３０を硬化させて充填材１３０と第１のセパレータ１１０ｃとを取り付ける。この結果、単セル１０が製造される。単セル１０を複数積層することで燃料電池２００が製造される。
【００４４】
ここで、課題で説明したように、充填材１３０の充填量が少ない場合には、シール部材１２０と第１のガス拡散層１０４ｃとの間の隙間Ｓ（図５のステップＳ１４参照）の部分では、電極間のガス差圧（極間差圧）によって発生する応力による膜電極接合体１０１の変形を抑制することが困難となる可能性がある。これに対して、本実施形態では、上記したように、極間差圧による膜電極接合体の変形の抑制を目的として、水素排出側における第１のガス拡散層１０４ｃの外周端部とシール部材１２０の内周端部との間の間隔Ｄ２よりも、水素供給側の間隔Ｄ１の方が小さくなるように、電極体１００が配置された構造を有している（図２〜４参照）。このシール部材１２０および電極体１００の配置構造は、以下の実施例で説明するように、充填材１３０の充填量が少ない場合においても、燃料ガスの圧力の方が酸化ガスの圧力よりも高くなるような極間差圧によって発生する膜電極接合体の変形を抑制することが可能である。
【実施例】
【００４５】
本実施形態による膜電極接合体の変形を抑制する効果を確認するために、以下に示す４種類の配置構造の異なるサンプル＃１〜４について評価を行った。
【００４６】
図６は、サンプル＃１におけるシール部材１２０と第１のガス拡散層１０４ｃとの配置関係を示す平面図である。サンプル＃１は、第１のガス拡散層１０４ｃの外周端部が、燃料ガス（アノードガス）としての水素供給側および酸化ガス（カソードガス）としての空気排出側で、シール部材１２０の内周端部に接触するように配置されたサンプルである。サンプル＃１は、第１のガス拡散層１０４ｃの外周端部とシール部材１２０の内周端部との間隔として、水素供給側を水素排出側に比べて小さくするとともに、空気供給側を空気排出側に比べて小さくした構造の一例である。
【００４７】
図７は、サンプル＃２におけるシール部材１２０と第１のガス拡散層１０４ｃとの配置関係を示す平面図である。サンプル＃２は、第１のガス拡散層１０４ｃの外周端部が、水素排出側および空気供給側でシール部材１２０の内周端部に接触するように配置されたサンプルである。サンプル＃２は、第１のガス拡散層１０４ｃの外周端部とシール部材１２０の内周端部との間隔として、水素供給側を水素排出側に比べて大きくするとともに、空気排出側を空気供給側に比べて大きくした構造の一例である。
【００４８】
図８は、サンプル＃３におけるシール部材１２０と第１のガス拡散層１０４ｃとの配置関係を示す平面図である。サンプル３は、第１のガス拡散層１０４ｃの外周端部が、水素排出側および空気排出側でシール部材１２０の内周端部に接触するように配置されたサンプルである。サンプル＃３は、第１のガス拡散層１０４ｃの外周端部とシール部材１２０の内周端部との間隔として、水素供給側を水素排出側に比べて大きくするとともに、空気排出側を空気供給側に比べて小さくした構造の一例である。
【００４９】
図９は、サンプル＃４におけるシール部材１２０と第１のガス拡散層１０４ｃとの配置関係を示す平面図である。サンプル＃４は、第１のガス拡散層１０４ｃの外周端部が、水素供給側および空気供給側でシール部材１２０の内周端部に接触するように配置されたサンプルである。サンプル＃４は、第１のガス拡散層１０４ｃの外周端部とシール部材１２０の内周端部との間隔として、水素供給側を水素排出側に比べて小さくするとともに、空気排出側を空気供給側に比べて大きくした構造の一例である。
【００５０】
以上のように、サンプル＃１およびサンプル＃４は、第１のガス拡散層１０４ｃの外周端部とシール部材１２０の内周端部との間の間隔（隙間）として水素供給側が水素排出側に比べて小さくなるように、第１のガス拡散層１０４ｃの外周端部が水素供給側でシール部材１２０の内周端部に接触するように配置されたサンプルである。これに対して、サンプル＃２およびサンプル＃３は、第１のガス拡散層１０４ｃの外周端部とシール部材１２０の内周端部との間の間隔（隙間）として水素供給側が水素排出側に比べて大きくなるように、第１のガス拡散層１０４ｃの外周端部が水素排出側でシール部材１２０の内周端部に接触するように配置されたサンプルである。
【００５１】
ただし、第１のガス拡散層１０４ｃの構造を考慮すると、第１のガス拡散層１０４ｃの外周端部がシール部材１２０の内周端部に接触するように配置されたとしても、０．５ｍｍ程度の隙間が生じる。なぜならば、第１のガス拡散層１０４ｃの外周端部のシール部材１２０に接触させる面（Ｚ方向に沿った面）には凹凸があり、凸部分ではシール部材１２０と接触するが凹部分ではシール部材１２０と接触せずに隙間が生じるためである。
【００５２】
図１０は、各サンプルにおける隙間をまとめた表である。サンプル＃１では、第１のガス拡散層１０４ｃの外周端部が水素供給側でシール部材１２０の内周端部に接触するように配置されているので、ａ部およびｃ部のＸ方向の隙間（間隔）が０．５ｍｍで、ｂ部およびｄ部のＸ方向の隙間が１．５ｍｍとなっている。また、サンプル＃１では、第１のガス拡散層１０４ｃが空気排出側でシール部材１２０の内周端部に接触するように配置されているので、ａ部およびｂ部のＹ方向の隙間が０．５ｍｍで、ｃ部およびｄ部のＹ方向の隙間が１．５ｍｍとなっている。
【００５３】
サンプル＃２では、第１のガス拡散層１０４ｃの外周端部が水素排出側でシール部材１２０の内周端部に接触するように配置されているので、ａ部およびｃ部のＸ方向の隙間が１．５ｍｍで、ｂ部およびｄ部のＸ方向の隙間が０．５ｍｍとなっている。また、サンプル＃２では、第１のガス拡散層１０４ｃの外周端部が空気供給側でシール部材１２０の内周端部に接触するように配置されているので、ａ部およびｂ部のＹ方向の隙間が１．５ｍｍで、ｃ部およびｄ部のＹ方向の隙間が０．５ｍｍとなっている。
【００５４】
サンプル＃３では、第１のガス拡散層１０４ｃの外周端部が水素排出側でシール部材１２０の内周端部に接触するように配置されているので、ａ部およびｃ部のＸ方向の隙間が１．５ｍｍで、ｂ部およびｄ部のＸ方向の隙間が０．５ｍｍとなっている。また、サンプル＃３では、第１のガス拡散層１０４ｃの外周端部が空気排出側でシール部材１２０の内周端部に接触するように配置されているので、ａ部およびｂ部のＹ方向の隙間が０．５ｍｍで、ｃ部およびｄ部のＹ方向の隙間が１．５ｍｍとなっている。
【００５５】
サンプル＃４では、第１のガス拡散層１０４ｃの外周端部が水素供給側でシール部材１２０の内周端部に接触するように配置されているので、ａ部およびｃ部のＸ方向の隙間が０．５ｍｍで、ｂ部およびｄ部のＸ方向の隙間が１．５ｍｍとなっている。また、サンプル＃４では、第１のガス拡散層１０４ｃの外周端部が空気供給側でシール部材１２０の内周端部に接触するように配置されているので、ａ部およびｂ部のＹ方向の隙間が１．５ｍｍで、ｃ部およびｄ部のＹ方向の隙間が０．５ｍｍとなっている。
【００５６】
水素供給口（アノードガス供給マニホールド）から供給される水素のガス圧を３００ｋＰａとし、水素排出口（アノードガス排出マニホールド）へ排出される水素のガス圧を１００ｋＰａとするとともに、空気供給口（カソードガス供給マニホールド）から供給される空気のガス圧を２００ｋＰａとし、空気排出口（カソードガス排出マニホールド）へ排出される空気のガス圧を１００ｋＰａとした。この場合の各部ａ〜ｄで発生する極間のガス差圧（極間差圧）Δｐは、ａ部：＋２００ｋＰａ、ｂ部：０ｋＰａ、ｃ部：＋１００ｋＰａ、ｄ分：−１００ｋＰａとなる。差圧の符号が「＋」の場合、（アノードにおける水素の圧力）＞（カソードにおける空気の圧力）となることを示している。従って、ａ部とｃ部とでは、極間差圧Δｐに応じて膜電極接合体に加わる応力によって、膜電極接合体の変形を引き起こす可能性がある。
【００５７】
図１１は、各サンプルのａ部およびｃ部において想定される引張応力を示す表である。図１１に示された各引張応力は、以下に示すように計算により求めることができる。
【００５８】
図１２は、膜電極接合体（ＭＥＡ）の変形のモデルを示す模式図である。図１２に示すように、膜電極接合体に垂直な仮想中心軸（一点鎖線）を中心として半径ａの領域に外力ｐが加わった場合には、仮想中心軸を中心とした半径ａの領域において膜電極接合体の変形が発生するものとする。この場合、膜電極接合体の変形前の仮想中心軸からの距離ｒおよび仮想中心軸回りの角度θで表される極座標（ｒ，θ）における引張応力σrおよび引張応力σθは、ｒ＝ａとして下式（１）で表される。
σ＝σr＝σθ＝（Ｂ0／４（Ｅ・ｐ2・ｒ2／ｔ2）1/3
＝（Ｂ0／４（Ｅ・ｐ2・ａ2／ｔ2）1/3  …（１）
Ｅは用いられる膜電極接合体のヤング率であり、Ｂ0は定数であって、例えば、ポアソン比ν＝０．４でＢ0＝１．７７７である。また、ｔは膜電極接合体の膜厚である。
【００５９】
なお、上記式（１）は、一般的な材料力学における引張応力（以下、単に「応力」とも呼ぶ）σの式を膜電極接合体に適用した式である（Ｊｏｕｒｎａｌ  ｏｆ  Ｐｏｗｅｒ  Ｓｏｕｒｃｅｓ  １９４（２００９）８７３−８７９参照）。
【００６０】
ここで、シール部材１２０の内周端部と第１のガス拡散層１０４ｃの外周端部との間の隙間で膜電極接合体に発生する応力は、図１２で示した膜電極接合体における変形の領域の直径（２ａ）を隙間の大きさとみなすとともに、外力ｐを極間差圧Δｐとすることにより、上記式（１）から隙間と引張応力σ（＝σr）との関係を計算することができる。なお、図１３は、ａ部の極間差圧（Δｐ＝２００ｋＰａ）およびｃ部の極間差圧（Δｐ＝１００ｋＰａ）をパラメータとし、それぞれにおける隙間と引張応力σとの関係を示すグラフである。また、図１４は、図１３に基づいてａ部およびｃ部における隙間と極間差圧Δｐと引張応力σとの関係をまとめた表である。
【００６１】
以上のようにして得られた結果（図１３，１４）に基づいて、図１１に示した各サンプルのａ部およびｃ部において想定される引張応力が求められる。サンプル＃１では、ｃ部における引張応力はサンプル＃２およびサンプル＃３と同じ７．９ＭＰａであり、サンプル＃２およびサンプル＃３に対して大きくならず、ａ部における引張応力がサンプル＃２およびサンプル＃３の１２．５ＭＰａに対して６．０ＭＰａと半分以下の大きさとなっている。また、サンプル＃４では、ａ部における引張応力はサンプル＃２およびサンプル＃３と同じ１２．５ＭＰａであり、サンプル＃２およびサンプル＃３に対して大きくならず、ｃ部における引張応力がサンプル＃２およびサンプル＃３の７．９ＭＰａに対して３．８ＭＰａと半分以下の大きさとなっている。
【００６２】
従って、サンプル＃１およびサンプル＃４のように、第１のガス拡散層１０４ｃの外周端部が水素供給側でシール部材１２０の内周端部に接触するように配置される構造によれば、水素の圧力が空気の圧力よりも高くなる極間差圧に応じて膜電極接合体に発生する応力を抑制することが可能であり、膜電極接合体の変形を抑制することが可能である。また、酸化ガス（空気）の流路方向と燃料ガス（水素）の流路方向とが直交する構造の場合には、サンプル＃１のように、さらに、第１のガス拡散層１０４ｃの外周端部が空気排出側でシール部材１２０の内周端部に接触するように配置される構造であることが好ましい。サンプル＃１では、水素の圧力が空気の圧力よりも高くなる極間差圧に応じて膜電極接合体に発生する応力をサンプル＃４よりも抑制することが可能であり、膜電極接合体の変形をより抑制することが可能である。
【００６３】
なお、サンプル＃１およびサンプル＃４は、水素排出側における第１のガス拡散層１０４ｃの外周端部とシール部材１２０の内周端部との間の間隔（隙間）よりも水素供給側の間隔の方が小さくなる配置構造の一例として、水素供給側で第１のガス拡散層１０４ｃの外周端部がシール部材１２０の内周端部に接触するように配置されたものである。サンプル＃１およびサンプル＃４の場合であっても、上記したように、接触させるように配置した部分においても０．５ｍｍ程度の隙間が生じている。このことを考慮すれば、必ずしも、第１のガス拡散層１０４ｃの外周端部が水素供給側でシール部材１２０の内周端部に接触するように配置される必要はない。水素供給側におけるシール部材１２０の内周端部と第１のガス拡散層１０４ｃの外周端部との間隔が、水素排出側におけるシール部材１２０の内周端部と第１のガス拡散層１０４ｃの外周端部との間隔よりも小さくなるように配置されていてれば良い。この配置構造によれば、少なくとも、極間差圧が大きくなる水素供給側の位置にある隙間において膜電極接合体に発生する応力を抑制することが可能であり、膜電極接合体の変形を抑制することが可能である。ただし、サンプル＃１およびサンプル＃４のように、第１のガス拡散層１０４ｃの外周端部が水素供給側でシール部材１２０の内周端部に接触するように配置される構造が望ましい。
【００６４】
また、サンプル＃１は、酸化ガスとしての空気の流路方向と燃料ガスとしての水素の流路方向とが直交する構造の場合に、さらに、空気供給側における第１のガス拡散層１０４ｃの外周端部とシール部材１２０の内周端部との間の間隔よりも空気排出側の間隔の方が小さくなる配置構造の一例として、第１のガス拡散層１０４ｃの外周端部が空気排出側でシール部材１２０の内周端部に接触するように配置されたものである。同様に、必ずしも、第１のガス拡散層１０４ｃの外周端部が空気排出側でシール部材１２０の内周端部に接触するように配置される必要はない。空気排出側におけるシール部材１２０の内周端部と第１のガス拡散層１０４ｃの外周端部との間隔が、空気供給側におけるシール部材１２０の内周端部と第１のガス拡散層１０４ｃの外周端部との間隔よりも小さくなるように配置されていれば良い。この配置構造によれば、水素供給側において膜電極接合体に加わる極間差圧を低減することが可能である。この結果、水素供給側かつ空気排出側の位置の隙間において膜電極接合体に発生する応力を抑制することが可能であり、膜電極接合体の変形を抑制することが可能である。ただし、サンプル＃１のように、第１のガス拡散層１０４ｃの外周端部が水素供給側および空気排出側でシール部材１２０の内周端部に接触するように配置される構造が望ましい。
【００６５】
なお、上記実施形態では、シール部材１２０は、膜電極接合体１０１の外周部のうち第１のガス拡散層１０４ｃが配置された側（カソード側）に設けられた構造を例に説明しているが、第２のガス拡散層１０４ａの外周端部も、第１のガス拡散層１０４ｃと同様に、膜電極接合体１０１の外周端部よりも内側に位置しており、第２のガス拡散層１０４ａが配置された側（アノード側）にもシール部材１２０が設けられた構造の場合には、シール部材１２０の内周端部と第１のガス拡散層１４０ｃの外周端部との間の隙間およびシール部材１２０の内周端部と第２のガス拡散層１０４ａの外周端部との間の隙間において、同様に適用することが可能である。
【００６６】
上記実施形態では、燃料ガス流路の流路方向が横方向で酸化ガス流路の流路方向が縦方向に直交する構造を例に説明したが、互いに逆であってもよい。また、燃料ガス流路および酸化ガス流路の両方の流路方向が横方向あるいは縦方向に同じ向きとした構造でもよく、この場合において、燃料ガスと酸化ガスの流れの方向も、互いに同じ方向を向いて良いし、互いに対向する方向を向いていてもよい。
【００６７】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００６８】
５…燃料電池システム
１０，１０Ｒ…単セル
２０…電解質膜
２１…エンドプレート
２２…絶縁板
２３…集電板
２４…テンションロッド
２５…ナット
２６…制御部
２７…駆動部
４０…エアコンプレッサ
４１…酸化ガス供給路
４３…冷媒循環流路
４５…ラジエータ
４６…冷媒循環ポンプ
４７…冷媒循環流路
４８…カソード排ガス路
５０…水素タンク
５１…減圧弁
５２…圧力調整弁
５３…水素ガス供給路
５４…アノード排ガス路
１００…電極体
１０１…膜電極接合体（ＭＥＡ）
１０２…電解質膜
１０３ａ…アノード
１０３ｃ…カソード
１０４ａ…第２のガス拡散層
１０４ｃ…第１のガス拡散層
１０５ａ…第２の撥水層
１０５ｃ…第１の撥水層
１０６ａ…第２のガス拡散層
１０６ｃ…第１のガス拡散層
１１０ａ…第２のセパレータ
１１０ｃ…第１のセパレータ
１１６ａ…燃料ガス流路（流路溝）
１１６ｃ…酸化ガス流路（流路溝）
１２０…シール部材
１３０…充填材
１３１…第１充填部分１３１
１３２…第２充填部分（露出部分）１３２
２００…燃料電池
Ｓ…空間
Ｍ…隙間
【図１】
2014216110.tif 000003
【図２】
2014216110.tif 000004
【図３】
2014216110.tif 000005
【図４】
2014216110.tif 000006
【図５】
2014216110.tif 000007
【図６】
2014216110.tif 000008
【図７】
2014216110.tif 000009
【図８】
2014216110.tif 000010
【図９】
2014216110.tif 000011
【図１０】
2014216110.tif 000012
【図１１】
2014216110.tif 000013
【図１２】
2014216110.tif 000014
【図１３】
2014216110.tif 000015
【図１４】
2014216110.tif 000016
【図１５】
2014216110.tif 000017